(57)【特許請求の範囲】
【請求項１】
マイクにより収音した送話音信号、又は／及び、受話音信号を入力する送話音入力端子、前記マイクが収音した前記受話音信号を消去して前記送話音信号はそのまま出力する送話音出力端子、前記受話音信号の音源を入力する受話音入力端子、及び該受話音信号を出力する受話音出力端子を備えた音響エコーキャンセラの品質を評価するエコーキャンセラ評価装置であって、
前記マイクの出力信号と前記送話音出力端子の出力信号の何れか一方を選択するセレクタと、
該セレクタにより選択された出力信号の信号レベルを夫々計算して、該計算結果を同一画面上に重畳して表示する表示手段と、
前記受話音入力端子に入力する音源を生成する受話音用音源と、
前記送話音信号となる音源を生成する送話音用音源と、
該送話音用音源から出力された送話音信号を拡声する送話音用話者スピーカと、
前記受話音出力端子から出力された受話音信号を拡声する受話音用スピーカと、
前記セレクタにより選択された出力信号の信号レベルを算出するレベル算出手段と、
該エコーキャンセラ評価装置全体の動作を制御する制御手段と、を備え、
前記マイクは、前記送話音用話者スピーカ、又は／及び、前記受話音用スピーカから拡声された音を収音し、
前記表示手段は、前記レベル算出手段により算出した信号レベルを時系列に表示し、
前記制御手段は、前記受話音用音源から受話音信号のみを出力し、前記セレクタにより前記送話音用マイクの出力信号を選択したときの信号レベルを第１のレベルとして前記レベル算出手段により算出し、
前記送話音用音源から送話音信号のみを出力し、前記セレクタにより前記送話音用マイクの出力信号を選択したときの信号レベルを第２のレベルとして前記レベル算出手段により算出し、
前記受話音用音源からの受話音信号、及び前記送話音用音源からの送話音信号を同時に出力し、前記送話音出力端子の送話音信号を選択したときの信号レベルを第３のレベルとして前記レベル算出手段により算出し、
前記レベル算出手段により算出された前記第１のレベル、第２のレベル、及び第３のレベルの算出結果を前記表示手段の同一画面上に時系列に重畳して表示することを特徴とするエコーキャンセラ評価装置。
【請求項２】
前記制御手段は、前記受話音用音源から受話音信号を出力すると共に、前記送話音用音源からの送話音信号を停止し、前記セレクタにより前記送話音用マイクの出力信号を選択したときの信号レベルと、前記送話音出力端子の出力信号を選択したときの信号のレベルとを前記レベル算出手段により算出し、該算出結果を前記表示手段の同一画面上に表示することを特徴とする請求項１に記載のエコーキャンセラ評価装置。
【請求項３】
前記セレクタにより選択された音声信号を試聴する試聴手段を更に備えたことを特徴とする請求項１又は２に記載のエコーキャンセラ評価装置。
【請求項４】
マイクにより収音した送話音信号、又は／及び、受話音信号を入力する送話音入力端子、前記マイクが収音した前記受話音信号を消去して前記送話音信号はそのまま出力する送話音出力端子、前記受話音信号の音源を入力する受話音入力端子、及び該受話音信号を出力する受話音出力端子を備えた音響エコーキャンセラの品質を評価するエコーキャンセラ評価方法であって、
前記マイクの出力信号と前記送話音出力端子の出力信号の何れか一方を選択するセレクタと、
該セレクタにより選択された出力信号の信号レベルを夫々計算して、該計算結果を同一画面上に重畳して表示する表示手段と、
前記受話音入力端子に入力する音源を生成する受話音用音源と、
前記送話音信号となる音源を生成する送話音用音源と、
該送話音用音源から出力された送話音信号を拡声する送話音用話者スピーカと、
前記受話音出力端子から出力された受話音信号を拡声する受話音用スピーカと、
前記セレクタにより選択された出力信号の信号レベルを算出するレベル算出手段と、
を備え、
前記マイクは、前記送話音用話者スピーカ、又は／及び、前記受話音用スピーカから拡声された音を収音し、前記表示手段は、前記レベル算出手段により算出した信号レベルを時系列に表示するエコーキャンセラ評価方法であって、
該エコーキャンセラ評価装置全体の動作を制御する制御ステップを有し、
前記制御ステップは、
前記受話音用音源から受話音信号のみを出力し、前記セレクタにより前記送話音用マイクの出力信号を選択したときの信号レベルを第１のレベルとして前記レベル算出手段により算出し、
前記送話音用音源から送話音信号のみを出力し、前記セレクタにより前記送話音用マイクの出力信号を選択したときの信号レベルを第２のレベルとして前記レベル算出手段により算出し、
前記受話音用音源からの受話音信号、及び前記送話音用音源からの送話音信号を同時に出力し、前記送話音出力端子の送話音信号を選択したときの信号レベルを第３のレベルとして前記レベル算出手段により算出し、
前記レベル算出手段により算出された前記第１のレベル、第２のレベル、及び第３のレベルの算出結果を前記表示手段の同一画面上に時系列に重畳して表示することを特徴とするエコーキャンセラ評価方法。
【発明の詳細な説明】
【技術分野】
【０００１】
本発明は、エコーキャンセラ評価装置に関して、音響エコーキャンセラの品質を定量的に評価するエコーキャンセラ評価装置に関するものである。
【背景技術】
【０００２】
ＩＰ電話の通話中に、電話サービスに妨害を与えることなく、送話者エコー（電話回線のエコー）の品質を定量的に測定する装置・方法が知られている。
例えば特許文献１には、ＩＰ電話に対して音声通話中にサービスに妨害を与えることなく、送話者エコー（電話回線のエコー）の品質を測定するために、送話パケットと受話パケットから、送話音声信号と受話音声信号を復号し、送話音声信号と音響エコーのエコーキャンセラアルゴリズムから音響エコーを求め、受話音声信号から音響エコーを除外して、電話回線エコーを推定し、送話音声信号と推定エコー信号のパワー比を計算する方法について開示されている。
【発明の概要】
【発明が解決しようとする課題】
【０００３】
しかし、従来の測定装置・方法では、スピーカの出力音がマイクに入る音響エコーを消去する音響エコーキャンセラの品質を評価（測定・試聴）できないといった問題があった。
また、特許文献１に開示されている従来技術は、確かにエコーを測定する点では本発明と類似しているが、音響エコーキャンセラの品質を評価（測定・試聴）できないという問題については解消できていない。
本発明は、かかる課題に鑑みてなされたものであり、音響エコーキャンセラの品質を簡単な構成で正確に、且つ迅速に評価（測定・試聴）することができるエコーキャンセラ評価装置を提供することを目的とする。
【課題を解決するための手段】
【０００４】
本発明はかかる課題を解決するために、請求項１は、マイクにより収音した送話音信号、又は／及び、受話音信号を入力する送話音入力端子（Ｓｉｎ）、前記マイクが収音した前記受話音信号を消去して前記送話音信号はそのまま出力する送話音出力端子（Ｓｏｕｔ）、前記受話音信号の音源を入力する受話音入力端子（Ｒｉｎ）、及び該受話音信号を出力する受話音出力端子（Ｒｏｕｔ）を備えた音響エコーキャンセラの品質を評価するエコーキャンセラ評価装置であって、前記マイクの出力信号と前記送話音出力端子の出力信号の何れか一方を選択するセレクタと、該セレクタにより選択された出力信号の信号レベルを夫々計算して、該計算結果を同一画面上に重畳して表示する表示手段と、前記受話音入力端子に入力する音源を生成する受話音用音源と、前記送話音信号となる音源を生成する送話音用音源と、該送話音用音源から出力された送話音信号を拡声する送話音用話者スピーカと、前記受話音出力端子から出力された受話音信号を拡声する受話音用スピーカと、前記セレクタにより選択された出力信号の信号レベルを算出するレベル算出手段と、該エコーキャンセラ評価装置全体の動作を制御する制御手段と、を備え、前記マイクは、前記送話音用話者スピーカ、又は／及び、前記受話音用スピーカから拡声された音を収音し、前記表示手段は、前記レベル算出手段により算出した信号レベルを時系列に表示し、前記制御手段は、前記受話音用音源から受話音信号のみを出力し、前記セレクタにより前記送話音用マイクの出力信号を選択したときの信号レベルを第１のレベルとして前記レベル算出手段により算出し、前記送話音用音源から送話音信号のみを出力し、前記セレクタにより前記送話音用マイクの出力信号を選択したときの信号レベルを第２のレベルとして前記レベル算出手段により算出し、前記受話音用音源からの受話音信号、及び前記送話音用音源からの送話音信号を同時に出力し、前記送話音出力端子の送話音信号を選択したときの信号レベルを第３のレベルとして前記レベル算出手段により算出し、前記レベル算出手段により算出された前記第１のレベル、第２のレベル、及び第３のレベルの算出結果を前記表示手段の同一画面上に時系列に重畳して表示することを特徴とする。
本発明の最も大きな特徴は、マイクから収音した出力信号をエコーキャンセラに通した信号と、エコーキャンセラを通さない信号に分割してセレクタに入力し、セレクタによりそれぞれの信号を選択して信号レベルを計算し、その計算結果を表示手段の同一画面上に重畳して表示する点にある。これにより、エコーキャンセラの機能が働いたときと、働かないときのレベル差を一目瞭然に把握することができる。
本発明では、送話音入力端子（Ｓｉｎ）、送話音出力端子（Ｓｏｕｔ）、受話音入力端子（Ｒｉｎ）、及び受話音出力端子（Ｒｏｕｔ）を備えた音響エコーキャンセラを評価する。そのために、Ｒｉｎに入力する受話音用音源と、送話音用音源とを備え、それらの音源から出力された信号を増幅してスピーカにより拡声して送話音用マイクで収音する。収音された送話音、又は／及び、受話音は、被測定エコーキャンセラのＳｉｎに入力される。Ｓｏｕｔは、送話音用マイクが収音した受話音を消去して送話音はそのまま出力する働きがあるので、エコーキャンセラを通さない信号レベルと、エコーキャンセラを通した信号レベル（Ｓｏｕｔ）を計算することにより、エコーキャンセラの品質を評価することができる。これにより、測定すべきエコーキャンセラを各端子に接続するだけで、即座に評価結果を出力することができる。
評価方法には、シングルトークの評価方法とダブルトークの評価方法がある。本発明では、送話音と受話音が同時に送話音用マイクに入力されたときに、受話音の消去状況と、送話音がどれだけ損なわずに出力されるかを評価するダブルトークの評価方法である。即ち、遠隔会議を行っている２つの会議室の両方の話者が発言する場合である。これを実現するには、送話音用音源を停止して、受話音用音源から受話音信号を出力し、評価するエコーキャンセラを機能させないときの第１の信号レベルと、受話音用音源を停止して、送話音用音源から送話音を出力し、評価するエコーキャンセラを機能させないときの第２の信号レベルと、送話音用音源と受話音用音源から送話音信号と受話音信号を出力し、評価するエコーキャンセラを機能させたときの第３の信号レベルと、を計算して、その結果を同一画面上に表示する。これにより、受話音のエコーがどれだけキャンセルされ、送話音の損失がどれだけかを評価することができる。
【０００６】
請求項２は、前記制御手段は、前記受話音用音源から受話音信号を出力すると共に、前記送話音用音源からの送話音信号を停止し、前記セレクタにより前記送話音用マイクの出力信号を選択したときの信号レベルと、前記送話音出力端子の出力信号を選択したときの信号のレベルとを前記レベル算出手段により算出し、該算出結果を前記表示手段の同一画面上に表示することを特徴とする。
評価方法には、シングルトークの評価方法とダブルトークの評価方法がある。本発明では、送話音が無いときに、送話音用マイクに入力された受話音をどれだけ小さくできるかを評価するシングルトークの評価方法である。即ち、遠隔会議を行っている２つの会議室の一方のみの話者が発言する場合である。これを実現するには、送話音用音源を停止して、受話音用音源から受話音を出力し、評価するエコーキャンセラを機能させたときの音声レベルと機能させないときの音声レベルを計算して、その結果を同一画面上に表示する。これにより、受話音のエコーがどれだけキャンセルできるかを評価することができる。
【０００７】
請求項３は、前記セレクタにより選択された音声信号を試聴する試聴手段を更に備えたことを特徴とする。
本発明では、セレクタによりエコーキャンセラを機能させたときと、機能させないときの音声の違いをヘッドホン等で試聴することができる。これにより、エコーキャンセルの効果を直接感知することができる。
【０００８】
請求項４は、マイクにより収音した送話音信号、又は／及び、受話音信号を入力する送話音入力端子、前記マイクが収音した前記受話音信号を消去して前記送話音信号はそのまま出力する送話音出力端子、前記受話音信号の音源を入力する受話音入力端子、及び該受話音信号を出力する受話音出力端子を備えた音響エコーキャンセラの品質を評価するエコーキャンセラ評価方法であって、前記マイクの出力信号と前記送話音出力端子の出力信号の何れか一方を選択するセレクタと、該セレクタにより選択された出力信号の信号レベルを夫々計算して、該計算結果を同一画面上に重畳して表示する表示手段と、前記受話音入力端子に入力する音源を生成する受話音用音源と、前記送話音信号となる音源を生成する送話音用音源と、該送話音用音源から出力された送話音信号を拡声する送話音用話者スピーカと、前記受話音出力端子から出力された受話音信号を拡声する受話音用スピーカと、前記セレクタにより選択された出力信号の信号レベルを算出するレベル算出手段と、を備え、前記マイクは、前記送話音用話者スピーカ、又は／及び、前記受話音用スピーカから拡声された音を収音し、前記表示手段は、前記レベル算出手段により算出した信号レベルを時系列に表示するエコーキャンセラ評価方法であって、該エコーキャンセラ評価装置全体の動作を制御する制御ステップを有し、前記制御ステップは、前記受話音用音源から受話音信号のみを出力し、前記セレクタにより前記送話音用マイクの出力信号を選択したときの信号レベルを第１のレベルとして前記レベル算出手段により算出し、前記送話音用音源から送話音信号のみを出力し、前記セレクタにより前記送話音用マイクの出力信号を選択したときの信号レベルを第２のレベルとして前記レベル算出手段により算出し、前記受話音用音源からの受話音信号、及び前記送話音用音源からの送話音信号を同時に出力し、前記送話音出力端子の送話音信号を選択したときの信号レベルを第３のレベルとして前記レベル算出手段により算出し、前記レベル算出手段により算出された前記第１のレベル、第２のレベル、及び第３のレベルの算出結果を前記表示手段の同一画面上に時系列に重畳して表示することを特徴とする。
請求項４の効果は、上述した請求項１の効果と同様である。
【発明の効果】
【０００９】
本発明によれば、受話音用音源と送話音用音源とを内蔵し、評価（測定・試聴）したい音響エコーキャンセラに、受話音用スピーカと送話音用マイクとを接続し、送話音用話者スピーカから送話音声を出力させ、エコーキャンセラにマイクにより収音した送話音信号及び受話音信号を入力することにより、エコーキャンセラの送話音出力信号のレベルを計算し、送話音声をヘッドホンで試聴することができるので、音響エコーキャンセラの品質を定量的に、且つ定性的に評価（測定・試聴）することができる。
【図面の簡単な説明】
【００１０】
【図１】本発明の実施形態に係るエコーキャンセラ評価装置の全体構成について説明する図である。
【図２】本発明のエコーキャンセラをシングルトークの評価をする場合の動作について説明する図である。
【図３】具体的なシングルトークの評価をする場合のエコーキャンセラ評価装置の処理フローについて説明する図である。
【図４】シングルトークの評価結果の一例について説明する図である。
【図５】本発明のエコーキャンセラをダブルトークの評価をする場合の動作について説明する図である。
【図６】具体的なダブルトークの評価をする場合のエコーキャンセラ評価装置の処理フローについて説明する図である。
【図７】ダブルトークの評価結果の一例について説明する図である。
【発明を実施するための形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態に係るエコーキャンセラ評価装置の全体構成について説明する図である。本発明のエコーキャンセラ評価装置８は、送話音マイク（以下、単にマイクと呼ぶ）２により収音した送話音及び受話音を入力する送話音入力端子（Ｓｉｎ）、マイク２が収音した受話音１８を消去して送話音１７はそのまま出力する送話音出力端子（Ｓｏｕｔ）、受話音１８の音源を入力する受話音入力端子（Ｒｉｎ）、及び受話音１８を出力する受話音出力端子（Ｒｏｕｔ）を備えた音響エコーキャンセラ（以下、単にエコーキャンセラと呼ぶ）４の品質を評価するエコーキャンセラ評価装置８であって、受話音入力端子に入力する音源を生成する受話音用音源１３と、送話音１７となる音源を生成する送話音用音源１５と、この送話音用音源１５から出力された送話音を増幅するスピーカアンプ７と、スピーカアンプ７により増幅された送話音を拡声する送話音用話者スピーカ１と、受話音出力端子から出力された受話音を増幅するスピーカアンプ６と、スピーカアンプ６より増幅された受話音を拡声する受話音用スピーカ５と、送話音用話者スピーカ１、又は／及び、受話音用スピーカ５から拡声された音を収音するマイク２と、マイク２の音を増幅するマイクアンプ３と、マイクアンプ３の出力信号と送話音出力信号端子の出力信号の何れか一方を選択するセレクタ１０と、セレクタ１０により選択された出力信号の信号レベルを算出するレベル算出器（レベル算出手段）９と、レベル算出器９により算出した信号レベルを時系列に表示する表示手段１４と、エコーキャンセラ評価装置８の全体動作を制御する制御手段１６と、を備えて構成されている。
【００１２】
即ち、評価するエコーキャンセラ４には、送話音入力（Ｓｉｎ：Send in）、送話音出力（Ｓｏｕｔ：Send out）、受話音入力（Ｒｉｎ：Receive in）、受話音出力（Ｒｏｕｔ：Receive out）の４端子がある。エコーキャンセラ４は、Ｒｉｎに入力された受話音声をＲｏｕｔへ出力し、受話音用スピーカ５から受話音が出力される。また、マイク２が収音した音はＳｉｎに入力される。マイク２には、送話音用話者スピーカ１が出力する送話音１７と、受話音用スピーカ５が出力する受話音１８が入る。エコーキャンセラ４は、マイク２に入った受話音１８を消去（キャンセル）し、送話音１７はそのままＳｏｕｔへ出力する。エコーキャンセラ４の評価のポイントは、受話音１８をどれだけ小さくできるか、送話音１７をどれだけ損なわずに出力できるかである。本実施形態では、耳で聞いて評価すると同時に、出力信号レベルの時間変化を目で確認する方法で評価するエコーキャンセラ評価装置８を提供する。
【００１３】
本発明では、送話音入力端子（Ｓｉｎ）、送話音出力端子（Ｓｏｕｔ）、受話音入力端子（Ｒｉｎ）、及び受話音出力端子（Ｒｏｕｔ）を備えたエコーキャンセラ４を評価する。そのために、Ｒｉｎに入力する受話音用音源１３と、送話音用音源１５を備え、それらの音源を増幅してスピーカにより拡声してマイク２で収音する。収音された音声は、エコーキャンセラ４のＳｉｎに入力される。Ｓｏｕｔは、マイク２が収音した受話音１８を消去して送話音１７はそのまま出力する働きがあるので、エコーキャンセラ４を通さない信号レベルと、エコーキャンセラ４を通した信号レベル（Ｓｏｕｔ）を計算することにより、エコーキャンセラ４の特性を評価することができる。これにより、測定すべきエコーキャンセラ４を各端子に接続するだけで、即座に評価結果を出力することができる。
【００１４】
図２は、本発明のエコーキャンセラをシングルトークの評価をする場合の動作について説明する図である。同じ構成要素には図１と同じ参照番号を付して説明する。
シングルトークの評価とは、エコーキャンセラ４の評価方法の１つであり、送話音１７が無い時に、マイク２に入った受話音をどれだけ小さくできるかを評価する方法である。遠隔会議を行なっている２つの会議室の一方のみの話者が発言する場合であるので、シングルトークと呼ばれている。
この場合、送話音用音源１５からは音声を出力しない。受話音用音源１３から受話音１８を出力し、評価したいエコーキャンセラ４のＲｉｎ端子に受話音信号を入力する。マイク２に入った受話音１８が、エコーキャンセラ４のＳｉｎ端子に入力され、エコーキャンセラ４内で受話音１８が消去され、Ｓｏｕｔ端子からエコーキャンセル後の音声信号が出力される。この音声信号レベルが時系列でどのように変化するかを計算する。
【００１５】
信号レベルの時系列での計算方法の例を以下に説明する。例えば、音声信号のサンプリング周波数を１６ｋＨｚとする。サンプリングされた各音声のデジタルデータを、例えば、１２８サンプル毎に分割する。１２８サンプルの時間間隔は、８ミリ秒（１／１６０００秒×１２８サンプル＝８ｍｓｅｃ）になる。各サンプルデータの２乗を１２８サンプル分加算し、これを１２８で割った後、平方根を求める。この値は、信号処理の分野では一般に実効値（Root Mean Square value）と呼ばれている。
この値の常用対数（ｌｏｇ10）を算出し、２０を掛けた値が信号レベル（デシベル：ｄＢ）になる。この結果、８ｍｓｅｃ間の信号レベルが求まる。この計算を１２８サンプル毎（８ｍｓｅｃ毎）に行なうと、８ｍｓｅｃ毎の信号レベルの時間変化が求まる。信号レベルの時間変化は以上の様にして計算する。
以下、「信号レベルの時間変化を計算する」という記述は、上記の計算を意味する。同時に、ヘッドホンアンプを介して、ヘッドホンに音声を出力して、エコーの消去状況を試聴する。
エコーの消去状況を、エコーキャンセラ４を使わない（エコーキャンセラの機能が無効になっている）場合と比較するために、セレクタ１０で、マイクアンプ出力（セレクタ１０の入力１）とエコーキャンセラ出力（セレクタ１０の入力２）のどちらかを選択して出力するようにしている。
【００１６】
図３は、具体的なシングルトークの評価をする場合のエコーキャンセラ評価装置の処理フローについて説明する図である。
この処理フローでは、まず、エコーキャンセラ４の機能が無効になっている場合を評価し、次に、エコーキャンセラ機能を有効にした場合を評価する。以下に処理フローを説明する。まず、セレクタ１０を入力１が出力するように設定し、マイクアンプ３の出力（セレクタの入力１）を出力するようにする（Ｓ１）。次に、受話音用音源１３から受話音声を出力し、エコーキャンセラ４のＲｉｎ端子へ入力する（Ｓ２）。エコーキャンセラ機能を無効にした場合のレベル１の時間変化を計算する（Ｓ３）。そして、受話音用音源１３から受話音声の出力を停止する（Ｓ４）。
次に、セレクタ１０を入力２が出力するように設定し、エコーキャンセラ出力（セレクタの入力２）を出力するようにする（Ｓ５）。そして、受話音用音源１３から受話音声を出力し、エコーキャンセラ４のＲｉｎ端子へ入力する（Ｓ６）。エコーキャンセラ機能を有効にした場合のレベル２の時間変化を計算する（Ｓ７）。そして、受話音用音源１３から受話音声の出力を停止する（Ｓ８）。レベル１とレベル２の時間変化を重ねて表示する（Ｓ９）。
【００１７】
即ち、評価方法には、シングルトークの評価方法とダブルトークの評価方法がある。本実施形態では、送話音１７が無いときに、マイク２に入力された受話音１８をどれだけ小さくできるかを評価するシングルトークの評価方法である。即ち、遠隔会議を行っている２つの会議室の一方のみの話者が発言する場合である。これを実現するには、送話音用音源１５を停止して、受話音用音源１３から受話音１８を出力し、評価するエコーキャンセラ４を機能させたときの音声レベルと機能させないときの音声レベルを計算して、その結果を重畳して表示する。これにより、受話音１８のエコーがどれだけキャンセルできるかを評価することができる。
【００１８】
図４は、シングルトークの評価結果の一例について説明する図である。縦軸に音声レベル（ｄＢ）、横軸に時間（秒）を表す。
図３に示した処理フローの結果、図４に示すような音声レベルの時間変化の比較が得られる。図中、実線２０が、エコーキャンセラの機能が無効になっている場合の出力音声の時間変化（レベル１）である。エコーキャンセラ４を使わないと、マイク２に入った受話音がそのまま出力される。図中、破線２１が、エコーキャンセラ４の機能が有効になっている場合の出力音声の時間変化（レベル２）である。エコーキャンセラ４により、受話音１８が消去され、音声レベルが低下しているのが分る。レベル１とレベル２の差２７がエコーキャンセラのエコー消去性能（エコー消去量）を示す。以上のようにして、シングルトーク時のエコーキャンセラを評価できる。
【００１９】
図５は、本発明のエコーキャンセラをダブルトークの評価をする場合の動作について説明する図である。同じ構成要素には図１と同じ参照番号を付して説明する。
ダブルトークの評価とは、エコーキャンセラ４の評価方法の１つであり、送話音１７と受話音１８との両方が同時にマイク２に入った時に、受話音１８の消去状況と、送話音１７がどれだけ損なわずに出力されるかを評価する方法である。遠隔会議を行なっている２つの会議室の両方の話者が発言する場合であるので、ダブルトークと呼ばれている。
送話音用音源１５から音声を出力し、送話音用話者スピーカ１から送話音１７を出力する。受話音用音源１３から受話音を出力し、評価したいエコーキャンセラ４のＲｉｎ端子に受話音を入力する。マイク２に入った送話音１７と受話音１８が、エコーキャンセラ４のSin端子に入力され、エコーキャンセラ４内で受話音１８が消去され、Ｓｏｕｔ端子からエコーキャンセル後の音声が出力される。この音声出力信号レベルの時間変化を計算する。同時に、ヘッドホンアンプ１１を介して、ヘッドホン１２に音声を出力して、エコーの消去状況と送話音を試聴する。
エコーキャンセラ４を使わない（エコーキャンセラの機能が無効になっている）場合と比較するために、セレクタ１０で、マイクアンプ３の出力（セレクタの入力１）とエコーキャンセラ出力（セレクタの入力２）のどちらかを選択して出力するようにしている。
【００２０】
図６は、具体的なダブルトークの評価をする場合のエコーキャンセラ評価装置の処理フローについて説明する図である。
この処理フローでは、まず、エコーキャンセラ４の機能が無効になっている場合の受話音１８を評価し、次に、エコーキャンセラ４の機能が無効になっている場合の送話音１７を評価し、最後に、エコーキャンセラ機能を有効にした場合の受話音１８と送話音１７を評価する。まず、セレクタ１０が入力１を出力するように設定し、マイクアンプ３の出力（セレクタの入力１）を出力するようにする（Ｓ１１）。次に、受話音用音源１３から受話音声を出力し、エコーキャンセラ４のＲｉｎ端子へ入力する（Ｓ１２）。エコーキャンセラ機能を無効にした場合のレベル１の時間変化を計算する（Ｓ１３）。そして、受話音用音源１３から受話音声の出力を停止する（Ｓ１４）。
次に、送話音用音源１５から送話音声を出力する（Ｓ１５）。そして、エコーキャンセラ機能を無効にした場合のレベル２の時間変化を計算する（Ｓ１６）。送話音用音源１５から送話音声の出力を停止する（Ｓ１７）。
【００２１】
セレクタ１０が入力２を出力するように設定し、エコーキャンセラ出力（セレクタの入力２）を出力するようにする（Ｓ１８）。受話音用音源１３から受話音声を出力し、エコーキャンセラ４のＲｉｎ端子へ入力し、同時に、送話音用音源１５から送話音声を出力するっ（Ｓ１９）。エコーキャンセラ機能を有効にした場合のレベル３の時間変化を計算する（Ｓ２０）。受話音用音源１３からの受話音声の出力と、送話音用音源１５からの送話音声の出力を停止する（Ｓ２１）。そして、レベル１とレベル２とレベル３の時間変化を重ねて表示する（Ｓ２２）。
即ち、評価方法には、シングルトークの評価方法とダブルトークの評価方法がある。本実施形態では、送話音１７と受話音１８が同時にマイク２に入力されたときに、受話音１８の消去状況と、送話音１７がどれだけ損なわずに出力されるかを評価するダブルトークの評価方法である。即ち、遠隔会議を行っている２つの会議室の両方の話者が発言する場合である。これを実現するには、送話音用音源１５を停止して、受話音用音源１３から受話音を出力し、評価するエコーキャンセラ４を機能させないときの第１の音声レベルと、受話音用音源１３を停止して、送話音用音源１５から送話音を出力し、評価するエコーキャンセラ４を機能させないときの第２の音声レベルと、送話音用音源１５と受話音用音源１３から送話音１７と受話音１８を出力し、評価するエコーキャンセラ４を機能させたときの第３の音声レベルと、を計算して、その結果を重畳して表示する。これにより、受話音１８のエコーがどれだけキャンセルされ、送話音の損失がどれだけかを評価することができる。
【００２２】
図７は、ダブルトークの評価結果の一例について説明する図である。図６に示した処理フローの結果、図７に示すような音声レベルの時間変化の比較が得られる。図中、実線２２が、エコーキャンセラ４の機能が無効になっている場合の受話音１８の出力音声の時間変化（レベル１）である。エコーキャンセラ４を使わないと、マイク２に入った受話音がそのまま出力される。図中、一点鎖線２３が、エコーキャンセラ４の機能が無効になっている場合の送話音１７の出力音声の時間変化（レベル２）である。本来、エコーキャンセラ４の機能が有効である時も、マイク２に入った送話音１７は、劣化する事無く、そのまま出力されるのが望ましい。図中、破線２４が、エコーキャンセラ４の機能が有効になっている場合の、キャンセルされた受話音１８と送話音１７との混合出力音声の時間変化（レベル３）である。エコーキャンセラ４により、受話音１８が消去され、音声レベルが低下している。レベル１とレベル２の差２５がエコーキャンセラのエコー消去性能（エコー消去量）を示す。マイク２に送話音１７が入っている時のレベル２とレベル３の差２６が、送話音１７の劣化を示す。以上のようにして、ダブルトーク時のエコーキャンセラを評価できる。
又、受話音用音源１３から受話音を出力せず、送話音用音源１５から送話音を出力して、送話音だけのシングルトークの評価も同様に行なえる。更に、セレクタ１０の出力音声信号を記録する録音手段と、録音した音声を再生する再生手段を追加することにより、シングルトーク、ダブルトーク時の音声を後で試聴することもできる。
【符号の説明】
【００２３】
１  送話音用話者スピーカ、２  送話音用マイク、３  マイクアンプ、４  エコーキャンセラ、５  受話音用スピーカ、６  スピーカアンプ、７  スピーカアンプ、８  エコーキャンセラ評価装置、９  レベル算出器、１０  セレクタ、１１  ヘッドホンアンプ、１２  ヘッドホン、１３  受話音用音源、１４  表示手段、１５  送話音用音源、１６  制御手段
【先行技術文献】
【特許文献】
【００２４】
【特許文献１】特開２００７−３２９６３０公報
【図１】
0005652223.tif 000002
【図２】
0005652223.tif 000003
【図３】
0005652223.tif 000004
【図４】
0005652223.tif 000005
【図５】
0005652223.tif 000006
【図６】
0005652223.tif 000007
【図７】
0005652223.tif 000008